(57)【要約】【課題】火花放電により電気集じん機内部で発火し温度が上昇した場合に、温度を低下させる手段を備えた電気集じん機を提供すること。【解決手段】ケーシング３内に温度感知手段６Ａ、６Ｂを備え、電気集じん機の運転中に温度が設定値以上になると、高電圧発生装置９からの高電圧の印加を停止し、さらに送風ファン５を停止する。ケーシング３の開口部を閉鎖する閉鎖手段４Ａ、４Ｂにより開口部を閉じ、ポンプ１２により洗浄液タンク１１に貯まっている水を洗浄ノズル２Ａ、２Ｂから噴出し、温度を低下させる。【選択図】図１
2008062172.tif 000002
【特許請求の範囲】
【請求項１】
含塵ガス中に含まれる粉塵粒子を帯電させ捕集する集じんユニットと、前記集じんユニットを洗浄するための洗浄ノズルと、前記集じんユニットを取り囲むケーシングと、含塵ガスが流入・流出する前記ケーシングの開口部を閉鎖する閉鎖手段と、前記ケーシング内に温度を感知する温度感知手段と、前記集じんユニットに高電圧を供給する高電圧発生手段と、送風ファンと、前記温度感知手段と前記高電圧発生手段と前記送風ファンとを制御する制御器を備え、温度が設定値以上になると前記高電圧発生手段からの高電圧の供給と前記送風ファンを停止し、前記閉鎖手段によってケーシング開口部を閉鎖し、ケーシング内の温度を低下させる温度低下手段を備えたことを特徴とする電気集じん機。
【請求項２】
ケーシング内に煙を感知する煙感知手段を設け、前記煙感知手段により煙を感知するかまたは温度感知手段により温度が設定値以上になったことを感知した場合に、高電圧の供給と送風ファンを停止し、ケーシング開口部を閉鎖し、ケーシング内の温度を低下させる請求項１記載の電気集じん機。
【請求項３】
集じんユニットの下流側に設けた送風ファン部分に温度感知手段と煙感知手段の両方または一方を備えた請求項１または２記載の電気集じん機。
【請求項４】
温度低下手段として、洗浄ノズルを用いてケーシング内に液体を噴出する請求項１〜３いずれか記載の電気集じん機。
【請求項５】
洗浄ノズルを用いてケーシング内に噴出する液体として水を用いた請求項４記載の電気集じん機。
【請求項６】
集じんユニットを洗浄するための洗浄ノズルへ洗浄液を供給する配管の上流に、洗浄液タンクと泡消化薬剤タンクを切り替える切替手段を設け、洗浄ノズルを用いてケーシング内に噴出する液体として泡消化薬剤を用いた請求項１〜４のいずれかに記載の電気集じん機。
【請求項７】
温度を低下させる手段として、ケーシング内に不活性ガス噴出手段を備えた請求項１〜３のいずれかに記載の電気集じん機。
【請求項８】
不活性ガスとして窒素ガスを用いた請求項７記載の電気集じん機。
【請求項９】
温度低下手段として、ケーシング内の不活性ガス噴出手段から不活性ガスを噴出し、同時に洗浄ノズルから液体を噴出する請求項７記載の電気集じん機。
【請求項１０】
洗浄ノズルへ洗浄液を供給する配管の上流に、洗浄液タンクと不活性ガスタンクを切り替える切替手段を設け、第１手段として洗浄ノズルを用いてケーシング内に不活性ガスを噴出した後、第２手段として前記洗浄ノズルから液体を噴出する請求項１〜３のいずれかに記載の電気集じん機。
【請求項１１】
ケーシング内に複数の集じんユニットが配置され、前記集じんユニット毎に温度感知手段を設け、温度が設定値以上になると、高電圧発生手段からの高電圧の供給と送風ファンを停止し、閉鎖手段によってケーシング開口部を閉鎖し、該当する集じんユニット部分のみ温度を低下させるよう作動する請求項１〜１０のいずれかに記載の電気集じん機。
【請求項１２】
温度感知手段を用いて温度を監視しておき、第１段階の温度設定値まで上昇すると、高電圧発生手段からの高電圧の供給と送風ファンを停止し、さらに第２段階の温度設定値まで上昇すると、温度低下手段を行う、請求項１〜１１のいずれかに記載の電気集じん機。
【請求項１３】
電気集じん機の表面に表示手段を設け、温度感知手段によって温度が設定値以上になったことを感知、または煙感知手段により煙を感知すると、表示手段により設定値以上の温度を感知あるいはおよび煙を感知したことを知らせることを表示する請求項２〜１２のいずれかに記載の電気集じん機。
【請求項１４】
電気集じん機の表面に表示手段を設け、温度感知手段によって温度が設定値以上になったことを感知、または煙感知手段が煙を感知すると、離れた場所へ設定値以上の温度を感知あるいはおよび煙を感知した信号を出す請求項２〜１３のいずれかに記載の電気集じん機。
【発明の詳細な説明】
【技術分野】
【０００１】
本発明は、含塵ガス中に含まれる粉塵粒子を捕集する電気集じん機に関するものである。
【背景技術】
【０００２】
電気集じん機の運転中には火花放電が発生することがあるが、電気集じん機に堆積している物質が可燃性物質の場合、火花放電により堆積物が発火し電気集じん機内部の温度が上昇することがある。
【０００３】
従来、この火花放電が持続しないような高電圧出力を制御する方法があった（例えば、特許文献１参照）。
【０００４】
以下、その電気集じん機について図９を参照しながら説明する。図９に示すように、電気集じん機は帯電部１０１と集じん部１０２と送風ファン１０３と電子コントロールボックス１０４とからなり、電子コントロールボックス１０４内に出力電圧装置と火花発生回数検出部と火花持続回数検出部を備えている。
【０００５】
電気集じん機の運転時に火花放電が発生すると、火花発生回数検出部により火花放電発生回数を検出し、また火花持続時間検出部により火花の持続時間を検出し、これら発生回数と持続時間を条件部として電気集じん機への高電圧を調整し出力することにより、火花放電が持続しないようにしている。
【特許文献１】特開平６−１１４２８６号公報
【発明の開示】
【発明が解決しようとする課題】
【０００６】
しかし上記従来の電気集じん機では、高電圧の出力を調整するためには、ある程度の火花放電の発生が必要であり、この火花放電の発生をゼロにすることは出来ない。
【０００７】
このため、電気集じん機に可燃性物質が堆積している場合、高電圧出力を制御する前に発生した火花放電により、発火し電気集じん機内部の温度が部分的に上昇し、電気集じん機に支障を来すという問題があった。
【０００８】
本発明は、電気集じん機内部の温度を低下させる手段を設けることにより、電気集じん機に堆積した可燃性物質が火花放電により発火し電気集じん機内部の温度が上昇した場合に、温度を低下させることが可能な電気集じん機を提供することを目的としている。
【課題を解決するための手段】
【０００９】
本発明の電気集じん機は上記目的を達成するために、含塵ガス中に含まれる粉塵粒子を帯電させ捕集する集じんユニットと、集じんユニットを洗浄するための洗浄ノズルと、前記集じんユニットを取り囲むケーシングと、含塵ガスが流入・流出する前記ケーシングの開口部を閉鎖する閉鎖手段と、前記ケーシング内に温度を感知する温度感知手段と、前記集じんユニットに高電圧を供給する高電圧発生手段と、送風ファンとそれらを制御する制御器を備え、温度が設定値以上になると電気集じん機への高電圧印加と送風ファンを停止し、ケーシング開口部を閉鎖し、温度低下手段を備えたものである。
【００１０】
この手段により部分的に温度が上昇し電気集じん機に支障を来すことを防ぐことができ、また電気集じん機の周囲に他設備がある場合等に、電気集じん機の温度が上昇することにより他設備へ支障を来すことを防ぐことができ、また電気集じん機を設置している建造物へ支障を来すことを防ぐことが出来る電気集じん機が得られる。
【００１１】
また、電気集じん機に煙を感知する煙感知手段を設け、前記煙感知手段により煙を感知するかまたは温度感知手段により温度が設定値以上になったことを感知した場合に、温度を低下させる手段を備えたことを特徴とする。
【００１２】
また、集じんユニットの下流側に設けた送風ファン部分に温度を感知する温度感知手段あるいはおよび煙を感知する煙感知手段を備えたことを特徴とする。
【００１３】
また、温度を低下させる手段として、洗浄ノズルを用いてケーシング内に液体を噴出することを特徴とする。
【００１４】
また、洗浄ノズルを用いてケーシング内に液体を噴出する方法で、液体として水を用いたことを特徴とする。
【００１５】
また、集じんユニットを洗浄するための洗浄ノズルへ洗浄液を供給する配管の上流に、洗浄液タンクと泡消化薬剤タンクを切り替える切替手段を設け、洗浄ノズルを用いてケーシング内に液体を噴出する方法で泡消化薬剤を用いたことを特徴とする。
【００１６】
また、温度低下手段として、ケーシング内に不活性ガス噴出手段を備えたことを特徴とする。
【００１７】
また、ケーシング内に不活性ガス噴出する方法で、不活性ガスとして窒素ガスを用いたことを特徴とする。
【００１８】
また、温度低下手段として、ケーシング内の不活性ガス噴出手段から不活性ガスを噴出し、同時に洗浄ノズルから液体を噴出する請求項１〜３記載の電気集じん機。
【００１９】
また、洗浄ノズルへ洗浄液を供給する配管の上流に、洗浄液タンクと不活性ガスタンクを切り替える切替手段を設け、第１手段として洗浄ノズルを用いてケーシング内に不活性ガスを噴出した後、第２手段として前記洗浄ノズルから液体を噴出することを特徴とする。
【００２０】
また、ケーシング内に複数の集じんユニットが配置され、前記集じんユニット毎に温度感知手段を設け、温度が設定値以上になると、高電圧発生手段からの高電圧の供給と送風ファンを停止し、閉鎖手段によってケーシング開口部を閉鎖し、該当する集じんユニット部分のみ温度を低下させるよう作動することを特徴とする。
【００２１】
また、温度感知手段を用いて、温度を監視しておき、第一段階の温度設定値まで上昇すると、高電圧発生手段からの高電圧の供給と送風ファンを停止し、さらに第２段階の温度設定値まで上昇すると、温度低下手段を行うことを特徴とする。
【００２２】
また、電気集じん機表面に表示手段を設け、温度感知手段により温度が設定値以上になったことを感知するか、または、煙感知手段により煙を感知すると、表示手段により設定値以上の温度を感知あるいはおよび煙を感知したことを知らせることを表示することを特徴とする。
【００２３】
また、温度感知手段により温度が設定値以上になったことを感知するか、または、煙感知手段により煙を感知すると、制御器により離れた場所へ設定値以上の温度を感知あるいはおよび煙を感知した信号、異常信号を出すことを特徴とする。
【発明の効果】
【００２４】
本発明によれば電気集じん機内で温度上昇が発生した際に、温度を低下させる手段を設けることで温度を低下させることができ、電気集じん機に支障を来すことを防ぐことができる。
【００２５】
また、電気集じん機の周囲にある他設備や電気集じん機を設置している建造物等へ支障を来すことも防ぐことができる。
【発明を実施するための最良の形態】
【００２６】
本発明の請求項１記載の発明は、含塵ガス中に含まれる粉塵粒子を帯電させ捕集する集じんユニットと、集じんユニットを洗浄するための洗浄ノズルと、前記集じんユニットを取り囲むケーシングと、含塵ガスが流入・流出する前記ケーシングの開口部を閉鎖する閉鎖手段と、前記ケーシング内に温度を感知する温度感知手段と、前記集じんユニットに高電圧を供給する高電圧発生手段と、送風ファンとそれらを制御する制御器を備え、温度が設定値以上になると前記高電圧発生手段からの高電圧の供給と送風ファンを停止し、前記閉鎖手段によってケーシング開口部を閉鎖し、ケーシング内の温度を低下させる温度低下手段を備えることで温度を低下させることができ、電気集じん機に支障を来すことを防ぐという作用を有する。
【００２７】
また、電気集じん機の周囲にある他設備や電気集じん機を設置している建造物等への支障を来すことも防ぐという作用を有する。
【００２８】
また、ケーシング内に煙感知手段を設け、前記煙感知手段により煙を感知するかまたは温度感知手段により温度が設定値以上になったことを感知した場合に、高電圧の供給と送風ファンを停止し、ケーシング開口部を閉鎖し、ケーシング内の温度を低下させるようにすることで、温度感知手段から離れた部分で温度が上昇し煙が発生した場合に、煙感知手段によりただちに温度上昇を感知することができるという作用を有する。
【００２９】
また、集じんユニットの下流側に設けた送風ファン部分に温度感知手段と煙感知手段の両方または一方を備えることにより、集じんユニット内には風が流れているため、ケーシング内に備えられた温度感知手段による設定値以上の温度感知または煙感知手段による煙感知をすることなく、熱または煙が下流側に流れて行き、送風ファンまで達することがあるため、このような場合に送風ファン部分に備えた温度感知手段による設定値以上の温度感知または煙感知手段による煙感知をすることができるという作用を有する。
【００３０】
また、温度低下手段として、洗浄ノズルを用いてケーシング内に液体を噴出することで、通常集じんユニットを洗浄するために洗浄ノズルから液体を噴出している部分を使用することで、新たに温度低下手段として配管等増設する必要がなく設備を簡素化することができるという作用を有する。
【００３１】
また、洗浄ノズルを用いてケーシング内に噴出する液体として水を用いたものであり、既存の洗浄ノズルを使用し安価な水を使用することで低コスト化することができる。
【００３２】
また、集じんユニットを洗浄するための洗浄ノズルへ洗浄液を供給する配管の上流に、洗浄液タンクと泡消化薬剤タンクを切り替える切替手段を設け、洗浄ノズルからケーシング内に噴出する液体として泡消化薬剤を用いたものであり、電気集じん機に堆積した可燃性物質が油の場合、温度が上昇した油に水を噴出すると水や油が飛び散るため、そのような場合に泡消化剤を噴出することにより、水や油が飛び散らさずに、迅速に確実に温度を低下させるという作用を有する。
【００３３】
また、温度低下手段として、ケーシング内に不活性ガス噴出手段を備えたものであり、不活性ガスをパージすることによりケーシング内の酸素を減少させることで、発火による温度上昇をなくし温度が低下するようにしたものであり、液体を噴出する温度低下手段と比較し、液体の場合は排水処理をする必要があるが、本手段ではその必要がなく低コスト化につながり、また電気集じん機を再使用する場合に電気集じん機に付着した液体を乾燥させる必要があるが、本手段ではその必要がなく、すぐに再使用が可能になるという作用を有する。
【００３４】
また、温度低下手段として、ケーシング内に不活性ガス噴出する方法において、不活性ガスとして窒素ガスを使用するものであり、窒素ガスは安価に入手することができ、低コストで実現できるという作用を有する。
【００３５】
また、温度低下手段として、ケーシング内の不活性ガス噴出手段から不活性ガスを噴出し、同時に洗浄ノズルから液体を噴出するものであり、どちらか一方の方法のみの場合と比べて、より素早く温度を低下させることができるという作用を有する。
【００３６】
また、洗浄ノズルへ洗浄液を供給する配管の上流に、洗浄液タンクと不活性ガスタンクを切り替える切替手段を設け、第１手段として洗浄ノズルを用いてケーシング内に不活性ガスを噴出した後、第２手段として前記洗浄ノズルから液体を噴出するものであり、既存の洗浄ノズルを使用して液体および不活性ガスを噴出するため、新たに不活性ガス噴出手段を設ける必要がないため設備を簡素化することができ、さらに不活性ガスを噴出し液体を噴出するため、どちらか一方の方法のみの場合と比べて素早く温度を低下させることができるという作用を有する。
【００３７】
また、ケーシング内に複数の集じんユニットが配置され、前記集じんユニット毎に温度感知手段を設け、温度が設定値以上になると、高電圧発生手段からの高電圧の供給と送風ファンを停止し、閉鎖手段によってケーシング開口部を閉鎖し、該当する集じんユニット部分のみ温度を低下させるよう作動するものであり、温度を低下させなければならない範囲を限定することで、必要な液体または不活性ガスの量を抑えることができるという作用を有する。
【００３８】
また、温度感知手段を用いて、温度を監視しておき、第１段階の温度設定値まで上昇すると、高電圧発生手段からの高電圧の供給と送風ファンを停止し、さらに第２段階の温度設定値まで上昇すると、温度低下手段を行うものであり、第１段階の温度設定値で高電圧発生手段からの高電圧の供給と送風ファンを停止した後、第２段階の温度設定値まで上昇しなければ温度低下手段を行う必要がなく、不要な機器の停止を防ぐことができるという作用を有する。
【００３９】
また、電気集じん機表面に表示手段を設け、温度を感知する温度感知手段により設定値以上の温度を感知するかまたは煙感知手段により煙を感知すると、表示手段により設定値以上の温度を感知したかあるいはおよび煙を感知したことを知らせることを表示するものであり、異常が発生した理由を簡易に把握することができるという作用を有する。
【００４０】
また、温度感知手段により設定値以上の温度を感知するかまたは煙感知手段により煙を感知すると、制御器により離れた場所へ設定値以上の温度を感知あるいはおよび煙を感知したという異常信号を出すものであり、電気集じん機から離れた場所にいても素早く異常が発生したことを知ることができるという作用を有する。
【００４１】
以下、本発明の実施の形態について図面を参照しながら説明する。
【００４２】
（実施の形態１）
図１は、本発明の実施の形態１における電気集じん機である。図１において、集じんユニット１Ａ、１Ｂが２台上下に配置されており、その上流側・下流側にそれぞれ洗浄ノズル２Ａ、２Ｂを備えている。それらを取り囲むようにケーシング３があり、風が集じんユニット１Ａ、１Ｂを通過するようにケーシング３には開口部がある。この開口部を閉鎖する閉鎖手段４Ａ、４Ｂがある。なお、本実施の形態では閉鎖手段４Ａ、４Ｂはダンパとなっている。下流側には送風ファン５がありこれを運転することによって、集じんユニット１Ａ、１Ｂ内に含塵ガスが流れ込むようになっている。ケーシング３内部には温度感知手段６Ａ、６Ｂとしての熱電対、また煙感知手段７Ａ、７Ｂとしての煙感知器を備えている。温度の設定値は１００〜１５０℃にするのが望ましい。また、電気集じん機上部には表示手段８であるランプが備えられている。なお、この表示手段は電気集じん機の上部に限らず、どこに設置してもよい。そして、集じんユニット１Ａ、１Ｂに高電圧を供給する高電圧発生装置９と、高電圧や温度低下手段を行うことを制御する制御器１０とで構成されている。集じんユニット１Ａ、１Ｂの洗浄時にはダンパを閉じ、ポンプ１２により洗浄水タンク１１に貯めている水を送り出し洗浄ノズル２Ａ、２Ｂから噴出し集じんユニット１Ａ、１Ｂを洗浄する。
【００４３】
図２は図１に示す集じんユニット１Ａ、１Ｂの詳細図である。本実施の形態１の集じんユニット１Ａ、１Ｂは図２に示すように、帯電部２１と集じん部２２から構成されており、帯電部２１は金属製の放電極板２３と金属製の接地極板２４Ａが交互に複数並んでおり、放電極板２３と接地極板２４Ａは電気的に接続されていない。集じん部２２は金属製の荷電極板２５と金属製の接地極板２４Ｂが交互に複数並んでおり、荷電極板２５と接地極板２４Ｂは電気的に接続されていない。放電極板２３と荷電極板２５には高電圧発生装置から高電圧が印加される。帯電部２１・集じん部２２の接地極板２４Ａ、Ｂはアースに接続されている。
【００４４】
放電極板２３や荷電極板２５と帯電部２１・集じん部２２の接地極板２４との間では高電圧により空気が絶縁破壊を起こし、極板間で火花放電が発生することがある。
【００４５】
電気集じん機に可燃性物質が堆積している場合、火花放電が発生し堆積物が発火し電気集じん機内の温度が上昇を始め、温度感知手段６Ａ、６Ｂによって感知している温度が設定値以上になると、制御器１０により高電圧の印加と送風ファン５を停止し、ケーシング開口部を閉鎖手段４Ａ、４Ｂであるダンパで閉じ、洗浄液タンク１１に貯まっている水をポンプ１１２により洗浄ノズル２Ａ、２Ｂから噴出し、電機集じん機内部の温度を低下させる。これにより、部分的に温度が上昇し電気集じん機に支障を来すことを防ぐことができ、また電気集じん機の周囲にある他設備や電気集じん機を設置している建造物等へ支障を来すことも防ぐことができる。
【００４６】
また、集じんユニット寸法が縦×横×高さが約１ｍ×約１ｍ×約１ｍのような大きさの場合で、さらに温度が上昇している部分が温度感知手段６Ａ、６Ｂを接地している場所からちょうど対角線上に位置する時のような場合、温度感知手段６Ａ、６Ｂによりその温度上昇を感知することが難しい場合がある。そのような時は、集じんユニットの下流側に備えた煙感知手段７Ａ、７Ｂが感知することにより、温度上昇が発生したことを感知するようになっている。
【００４７】
また、設定値以上の温度や煙を感知した場合に、表示手段８であるランプが点灯し、設定値以上の温度や煙を感知したことを知らせるようになっており、さらに制御器１０により、設定値以上の温度や煙を感知したことを知らせる信号、異常信号を出し、例えば監視室のような離れた場所へも設定値以上の温度を感知あるいはおよび煙を感知したことを知ることができるようになっている。
【００４８】
（実施の形態２）
本実施の形態は、図３に示すように、集じんユニット１Ａ、１Ｂの下流側に設けた送風ファン５部分に温度感知手段６Ａ、６Ｂと煙感知手段７Ａ、７Ｂの両方を備えている。なお、温度感知手段６Ａ、６Ｂまたは煙感知手段７Ａ、７Ｂのどちらか一方を備えてもよい。集じんユニット内には風が流れているため、ケーシング内に備えられた温度感知手段６Ａ、６Ｂまたは煙感知手段７Ａ、７Ｂが感知することなく、熱または煙が下流側に流れて行き、送風ファン５まで達することがあるため、このような場合に送風ファン５部分に備えた温度感知手段６Ａ、６Ｂまたは煙感知手段７Ａ、７Ｂにより異常である設定値以上の温度を感知または煙を感知することにより、異常感知漏れを防止するようになっている。
【００４９】
（実施の形態３）
本実施の形態は、温度低下手段として図４に示すように、洗浄ノズル２Ａ、２Ｂへ洗浄液を供給する配管の上流側に、洗浄液タンク１１と泡消化薬剤タンク１４があり、配管経路に両タンクを切り替える切替手段である三方弁１５が備えられており、温度または煙を感知すると、制御器１０により高電圧の印加と送風ファン５を停止し、ケーシング開口部を閉鎖手段４Ａ、４Ｂであるダンパで閉じ、三方弁１５を切り替え泡消化薬剤が洗浄ノズル２Ａ、２Ｂから噴出するようにしたものである。電気集じん機の堆積物が油の場合、発火し温度が上昇した所へ水を噴出すると水や油が飛び散るため、泡消化薬剤を使用し、水や油が飛び散らさずに迅速、確実に温度を低下することができる。
【００５０】
（実施の形態４）
本実施の形態は、温度低下手段として図５に示すように、不活性ガスタンク１６と不活性ガス噴出手段１７である配管の穴を備え、温度または煙を感知すると、制御器１０により高電圧の印加と送風ファン５を停止し、ケーシング開口部を閉鎖手段４Ａ、４Ｂであるダンパで閉じ、電動弁１８を開き窒素ガスをケーシング３内にパージするようにしたものである。不活性ガスとして窒素ガスを使用するのは安価で入手しやすいためである。ケーシング３内が窒素ガスによりパージされると、ケーシング３内の酸素が追い出され、発火し温度が上昇していた部分が温度が低下するようになる。温度低下手段として気体を使用することで、液体を使用した場合はその液体を排水しなければならず、また濡れた集じんユニットを再び使用するには乾燥させる必要があり、すぐに運転を再開することができないが、本実施の形態は、排水の必要がなく、集じんユニットは濡れていないため、すぐに運転を再開することができる。
【００５１】
また、温度を低下させる手段として、窒素ガスを噴出すると同時に洗浄ノズル２Ａ、２Ｂから水を噴出することで、より早く温度を低下させることができる。
【００５２】
（実施の形態５）
本実施の形態は、温度低下手段として図６に示すように、洗浄ノズル２Ａ、２Ｂへ洗浄液を供給する配管の上流側に、洗浄液タンク１１と不活性ガスである窒素ガスタンク１６があり、配管経路に両タンクを切り替える切替手段である三方弁１５が備えられており、温度または煙を感知すると、制御器１０により高電圧の印加と送風ファン５を停止し、ケーシング開口部を閉鎖手段４Ａ、４Ｂであるダンパで閉じ、三方弁１５を切り替え窒素ガスを洗浄ノズル２Ａ、２Ｂから噴出させ、ケーシング３内を窒素ガスでパージし酸素を追い出した後、三方弁１５を切り替え、洗浄ノズル２Ａ、２Ｂから水を噴出するようにしたものである。既存の洗浄ノズル２Ａ、２Ｂを使用して、窒素ガスと水を噴出することにより、電気集じん機に新たな噴出口を設ける必要がなく、窒素ガスと水を噴出させ素早く温度を低下させることが可能となる。
【００５３】
（実施の形態６）
本実施の形態は、集じんユニット１Ａ、１Ｂ、１Ｃ、１Ｄが複数並んでいる場合、例えば図７に示すように横に２列、縦に２列並んでいる場合に、各集じんユニット毎に温度感知手段６Ａ、６Ｂ、６Ｃ、６Ｄを設けることにより、そのうち１ヶ所が設定値以上の温度を感知すると、制御器１０により高電圧の印加と送風ファン５を停止し、ケーシング開口部を閉鎖手段４Ａ、４Ｂであるダンパで閉じ、該当する集じんユニット部分のみ温度を低下させるように洗浄ノズル２Ａ、２Ｂから水を噴出するようにしたものである。なお、温度感知手段６Ａ、６Ｂ、６Ｃ、６Ｄではなく、煙感知手段７Ａ、７Ｂ、７Ｃ、７Ｄを設けてもよい。またその両方を設けてもよい。すべての集じんユニットに水を噴出しないことで、タンクにある限られた水を有効に利用することができる。なお、本実施の形態による温度を低下させる手段は、洗浄ノズル２Ａ、２Ｂから水を噴出する実施の形態１の方法以外に、実施の形態２〜４で記載した方法でもよい。
【００５４】
（実施の形態７）
本実施の形態は、実施の形態１〜５において、図８に示すように温度の時間変化を監視しておく。例えば、第１段階の温度設定値を８０〜１２０℃に、第２段階の温度設定値を１３０〜１５０℃に設定し、第１段階の温度設定値に達すると、制御器１０により高電圧の印加と送風ファン５を停止し、さらに第２段階の温度設定値に達すると、実施の形態１〜５に示したような温度低下手段を行うような制御方法である。第１段階で高電圧の印加と送風ファン５を停止することで、温度が低下すれば、実施の形態１〜５に記載した温度を低下させる手段を行うことが不要である。高電圧の印加と送風ファンを停止してもさらに温度が上昇し、第２段階にまで達すると、実施の形態１〜５に記載した温度を低下させる手段を行う。このことで、確実に温度を低下させる必要がある場合のみ温度低下手段を行うことができ、不要な機器の停止を防ぐことができる。
【産業上の利用可能性】
【００５５】
本発明は、含塵ガスに可燃性物質が含まれている場合に有効であり、電気集じん機や周囲の設備または電気集じん機を設置している建造物等へ支障を来すことが出来ない場合に適用できる。
【図面の簡単な説明】
【００５６】
【図１】本発明の実施の形態１の電気集じん機を示す構成図
【図２】本発明の電気集じん機の集じんユニット詳細図
【図３】本発明の実施の形態２の電気集じん機を示す構成図
【図４】本発明の実施の形態３の電気集じん機を示す構成図
【図５】本発明の実施の形態４の電気集じん機を示す構成図
【図６】本発明の実施の形態５の電気集じん機を示す構成図
【図７】本発明の実施の形態６の集じんユニットの構成図
【図８】本発明の実施の形態７の温度の時間変化のグラフ
【図９】従来の電気集じん機の一例を示す図
【符号の説明】
【００５７】
１Ａ，１Ｂ，１Ｃ，１Ｄ  集じんユニット
２Ａ，２Ｂ  洗浄ノズル
３      ケーシング
４Ａ，４Ｂ  閉鎖手段
５      送風ファン
６Ａ，６Ｂ，６Ｃ，６Ｄ，６Ｆ  温度感知手段
７Ａ，７Ｂ，７Ｆ  煙感知手段
８      表示手段
９      高電圧発生装置
１０    制御器
１１    洗浄液タンク
１２    ポンプ
１４    泡消化薬剤タンク
１５    三方弁
１６    不活性ガスタンク
１７    不活性ガス噴出手段
１８    電動弁
１０１  帯電部
１０２  集じん部
１０３  送風ファン
１０４  電子コントロールボックス
【図１】
2008062172.tif 000003
【図２】
2008062172.tif 000004
【図３】
2008062172.tif 000005
【図４】
2008062172.tif 000006
【図５】
2008062172.tif 000007
【図６】
2008062172.tif 000008
【図７】
2008062172.tif 000009
【図８】
2008062172.tif 000010
【図９】
2008062172.tif 000011